(57)【要約】      （修正有）【課題】男女共用の洋式便器において男性が放尿する際の放尿が便器周壁や床面に飛散するのを防止する放尿飛散防止具を提供する。【解決手段】男性器の放尿口側に放尿受部を、該受部の前端側に放尿排出部を形成している放尿飛散防止具であって、紙類、繊維類、ゴム類、樹脂類等の材質からなる粉粒体を単独であるいは上記材質の混合物を、水溶性の結合剤で結合した所定厚さの成形体でなり、該成形体は水分の浸潤によって所定時間経過後に結合剤が溶融して、成形を保持している結合が破壊されて粉粒状に分散されるように形成されている。【選択図】図１
0003170032.tif 000002
【実用新案登録請求の範囲】
【請求項１】
男性器の放尿口側に放尿受部を、該受部の前端側に放尿排出部を形成している放尿飛散防止具であって、該放尿飛散防止具は紙類、繊維類、ゴム類、樹脂類等の材質からなる粉粒体を単独であるいは上記材質の混合物を、水溶性の結合剤で結合した所定厚さの成形体でなり、該成形体は水分の浸潤によって所定時間経過後に結合剤が溶融して、成形を保持している結合が破壊されて粉粒状に分散されるように形成されていることを特徴とする放尿飛散防止具。
【請求項２】
放尿飛散防止具は放尿受部が筒状であり、放尿排出部が放尿受部より小径口にあるいは小径口にして先端部が管状に形成されていることを特徴とする請求項１記載の放尿飛散防止具。
【請求項３】
放尿飛散防止具は皿状で、平面視で放尿受部が広巾で放尿排出部が巾狭の略扇形に形成されてなり、両側に放尿の流出を阻止する起立部を形成していることを特徴とする請求項１記載の放尿飛散防止具。
【考案の詳細な説明】
【技術分野】
【０００１】本考案は男女共用の洋式便器、以下便器という、において男性が放尿する際の放尿が便器周壁や床面に飛散するのを防止する放尿飛散防止具に関する。
【背景技術】
【０００２】従来放尿飛散防止具は公知である。例示すれば特許文献１、特開平１０−２３４７６３号公報に開示されている。
特許文献１は、紙又はプラスチックを円筒にして、先部を細め、先部に放尿穴を設ける構造である。
【考案の概要】
【考案が解決しようとする課題】
【０００３】特許文献１の放尿飛散防止具は、放尿を便器内に落下させるガイド筒となるので、便器外への飛散は、解消されるメリットがある。
ところが放尿時に放尿が放尿飛散防止具に付着するので洗浄しないと尿臭が漂い、再使用に際しては不衛生である。それを解消するために洗浄タンクの水であるいは手洗いの水で洗浄する方法があるが洗浄作業が面倒であり、かつ放尿の付着した放尿飛散防止具を手洗いの位置に移動する間に放尿の滴が床面に落下し不衛生であった。
本考案は上記の従来の問題点を解消した放尿飛散防止具を提供する。
【課題を解決するための手段】
【０００４】本考案はつぎの特徴を備えている。
その一は「男性器の放尿口側に放尿受部を、該受部の前端側に放尿排出部を形成している放尿飛散防止具であって、該放尿飛散防止具は紙類、繊維類、ゴム類、樹脂類等の材質からなる粉粒体を単独であるいは上記材質の混合物を、水溶性の結合剤で結合した所定厚さの成形体でなり、該成形体は水分の浸潤によって所定時間経過後に結合剤が溶融して、成形を保持している結合が破壊されて粉粒状に分散されるように形成されていることを特徴とする放尿飛散防止具」である。【０００５】その二は「上記その一の構成において、放尿飛散防止具は放尿受部が筒状であり、放尿排出部が放尿受部より小径口にあるいは小径口にして先端部が管状に形成されていることを特徴とする放尿飛散防止具」である。【０００６】その三は「上記その一の構成において、放尿飛散防止具は皿状で、平面視で放尿受部が広巾で放尿排出部が巾狭の略扇形に形成されてなり、両側に放尿の流出を阻止する起立部を形成していることを特徴とする放尿飛散防止具」である。
【考案の効果】
【０００７】本考案の放尿飛散防止具においては、放尿時には該放尿飛散防止具を把手して、放尿口つまり男性器の先端を放尿受部に当てるように近づけて位置せしめて放尿すれば、放尿は放尿受部で受け、前端側の排出部から便器内に落下する。それゆえに放尿の残部しずくが便器後方の床面に滴下することが解消される。【０００８】本考案の放尿飛散防止具は、放尿後該放尿飛散防止具を便器内に捨てれば、便器内の洗浄水並びに洗浄タンク等からの洗浄水の注水によって浸潤して結合剤が溶融して原形体が破壊され，粉粒状に分散するので、便器の排出口に詰まることがなく、排出口から下水パイプに流出する。
よって上記した従来の放尿飛散防止具のごとき欠点つまり、再使用による尿の床面への滴下による不衛生さ、ならびに再使用のための洗浄作業の面倒さがない。
本考案による放尿飛散防止具は上記の種々の作用効果があり、実用価値が大である。
【図面の簡単な説明】
【０００９】
【図１】Ａは本考案放尿飛散防止具の一実施例を示す斜視図、ＢはＡに示す放尿飛散防止具の保管状態を示す斜視図。
【図２】Ａは本考案放尿飛散防止具の他の実施例を示す斜視図、ＢはＡの保管状態を示す斜視図。
【図３】本考案放尿飛散防止具の使用状態を示す説明図。
【図４】本考案放尿飛散防止具が便器内に捨てた状態で洗浄水の浸潤によって結合が破壊されて粉粒状に分散された状態を示す説明図。
【考案を実施するための形態】
【００１０】本考案について実施例を図面を用いて説明する。
図１において、Ａは放尿飛散防止具の一実施例を示す斜視図、ＢはＡに示す放尿飛散防止具の保管状態を示す斜視図で、適数個積み重ねている。１は放尿飛散防止具である。２は放尿受部で、円筒、円錐体等の筒状に成形されており、男性器の放尿口が挿入できる大きさである。３は放尿排出部で放尿受部より小径口に形成されている。図面では小径口の先端を管状に形成している。
【００１１】上記放尿飛散防止具は紙類、繊維類、ゴム類、樹脂類等の材質からなる粉粒体を単独で、あるいは上記材質の混合物を水溶性の結合剤で結合して所定厚さの成形体としている。結合剤の主成分は水溶性の接着剤からなっている。上記各部材は公知の物を採用できる。
しかして該成形体は水分の浸潤によって所定時間経過後に成形を保持している結合が破壊されて粉粒状に分散されるように形成されている。粉粒体は便器の排出口に詰まることのない大きさであれば良く形状は粒状、細長径状、針状形状、鱗片状等いずれでもよい。
【００１２】上記の所定時間経過後に成形を保持している結合が破壊されて粉粒状に分散されるための必要条件は放尿中に放尿水によって成形体の結合が破壊されない結合力を保持することである。しかして放尿後に当該放尿飛散防止具を便器内の洗浄水の中に捨てることによって、かつ洗浄タンクからの多量の洗浄水によって浸潤して結合剤が溶融して原形体が破壊されて粉粒状に分散される。つまり放尿中に放尿水が成形体に浸潤されても成形体が破壊されない結合力を保持し、放尿後該放尿飛散防止具を便器内に捨てることによって放尿飛散防止具は多量の洗浄水によって全表面が浸潤されることによって結合剤が溶解して破壊されて粉粒状に分散し、さらに洗浄タンクから便器内に流出する洗浄水の圧力によって排出口から下水道に排出される。放尿飛散防止具が洗浄水の浸潤によって結合剤が溶融して破壊されて粉粒状に分散される時間は十数秒から二十数秒程度が好ましい。
【００１３】図２において、Ａは本考案放尿飛散防止具の他の実施例を示す斜視図、ＢはＡに示す放尿飛散防止具の保管状態を示す斜視図で、適数個積み重ねている。放尿飛散防止具２は平面視で放尿受部２ａが広巾の皿状で、放尿排出部２ｂが巾狭の略扇形に形成されている。しかして両側に放尿の流出を阻止する起立部２ｃ、２ｃを形成している。
【００１４】図３は本考案放尿飛散防止具の使用状態を示す説明図である。放尿飛散防止具１を把手４して男性器３の放尿口側に筒状の放尿受部に男性器を挿入して当てがい、放尿排出部から便器内に放尿している状態を示す。５は便器、５ａは排出口、６は便座、７は蓋板、８は洗浄タンクである。
【００１５】図４は放尿飛散防止具を便器内に捨てた状態で、洗浄水の浸潤によって結合剤が溶融し、結合が破壊されて粉粒状に分散された状態を示す。便器５の排出口５ａに溜水している洗浄水９の中に放尿飛散防止具１が粉粒状１０に分散された状態で散乱している。この状態で洗浄タンクから便器内に流出された多量の洗浄水、その圧力によって排出口から下水道に流され、便器の排出口に詰まることがない。
以上本考案の実施例について説明しているが本考案の技術思想を逸脱しない範囲の設計変更は可能である。
【符号の説明】
【００１６】１      放尿飛散防止具
１ａ    放尿受部
１ｂ    放尿排出部
１ｃ    管状
２      放尿飛散防止具
２ａ    放尿受部
２ｂ    放尿排出部
２ｃ    起立部
３      男性器
４      把手
５      便器
５ａ    排出口
６      便座
７      蓋板
８      洗浄タンク
９      洗浄水
１０    粉粒状
【図１】
0003170032.tif 000003
【図２】
0003170032.tif 000004
【図３】
0003170032.tif 000005
【図４】
0003170032.tif 000006